(57)【要約】【課題】    光モジュールの伝送特性を評価する際の分散耐力や挿入損失傾斜耐力の測定を、測定のための作業工数を減らし、より高精度に測定できるようにした伝送特性評価システムである。【解決手段】  異なる波長の光に対して異なる波長分散を付与しうる可変波長分散素子４２〜４６と、該可変波長分散素子の出力光に偏波モード分散を付与しうる偏波モード分散付与部６０と、を有する擬似伝送路装置４Ｂが光送信装置２と光受信装置３との間に介装され、擬似伝送路装置４Ｂは、該可変波長分散素子のミラー４６または光素子４４とともに、偏波モード分散付与部６０を制御することにより、上記の光送信装置２および光受信装置３が接続されるべき伝送路が有する伝送特性と等価の伝送特性を設定する。【選択図】        図９
2006086955.tif 000002
【特許請求の範囲】
【請求項１】
電気パルス信号を発生するパルス信号発生器と、該電気パルス信号を光信号に変換しうる電気／光変換部とを有し、該光信号を出力する光送信装置と、
該光送信装置からの該光信号を入力し、入力された光信号を電気信号に変換しうる光／電気変換部と、該電気信号と該電気パルス信号との比較により信号誤りを測定する信号誤り測定器とを有する光受信装置と、を備えるとともに、
異なる波長の光に対して異なる波長分散を付与しうる可変波長分散素子と、該可変波長分散素子の出力光に偏波モード分散を付与しうる偏波モード分散付与部と、を有する擬似伝送路装置が該光送信装置と該光受信装置との間に介装され、
該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、
該擬似伝送路装置は、該可変波長分散素子の該ミラーまたは該光素子とともに、該偏波モード分散付与部を制御することにより、上記の光送信装置および光受信装置が接続されるべき伝送路が有する伝送特性と等価の伝送特性を設定することを特徴とする、伝送特性評価システム。
【請求項２】
請求項１記載の伝送特性評価システムであって、該擬似伝送路装置が、該光送信装置より出力された該信号光に非線形光学効果を与えうる非線形光学効果付与部を有することを特徴とする、伝送特性評価システム。
【請求項３】
請求項１または請求項２記載の伝送特性評価システムであって、該伝送特性設定部は、該偏波モード分散付与部で与える偏波モード分散を、上記の光送信装置および光受信装置が接続されるべき伝送路が有する偏波モード分散特性と等価となるよう制御する偏波モード分散制御部を有することを特徴とする伝送特性評価システム。
【請求項４】
電気パルス信号を発生するパルス信号発生器と、該電気パルス信号を光信号に変換しうる電気／光変換部とを有し、該光信号を出力する光送信装置と、
該光送信装置からの該光信号を入力し、入力された光信号を電気信号に変換しうる光／電気変換部と、該電気信号と該電気パルス信号との比較により信号誤りを測定する信号誤り測定器とを有する光受信装置と、を備えるとともに、
異なる波長の光に対して異なる波長分散を付与しうる可変波長分散素子と、該可変波長分散素子の出力光に偏波モード分散を付与しうる偏波モード分散付与部と、を有する擬似伝送路装置が該光送信装置と該光受信装置との間に介装され、
該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、
該擬似伝送路装置が、該光送信装置より出力された該信号光に非線形光学効果を与えうる非線形光学効果付与部を有することを特徴とする、伝送特性評価システム。
【請求項５】
上記の光送信装置の電気／光変換部が、上記電気パルス信号を互いに異なる複数の光信号に変換し上記変換された複数の光信号を波長多重光として出力しうるように構成されるとともに、
上記の光受信装置の光／電気変換部が、光送信装置からの波長多重光としての光信号を、上記伝送特性が設定された該擬似伝送路装置を介して入力されて、波長分離した後にそれぞれ電気信号に変換しうるように構成され、
かつ、上記の光受信装置の信号誤り測定器が、上記波長分離した後に変換された電気信号について、それぞれ上記信号誤りを測定するように構成されたことを特徴とする、請求項１〜４のいずれか１項記載の伝送特性評価システム。
【請求項６】
上記の擬似伝送路装置の伝送特性設定部が、該ミラーの可動量を設定することにより、上記の光送信装置および光受信装置が接続されるべき伝送路が有しうる波長分散特性と等価の波長分散特性を設定する波長分散特性設定部により構成されていることを特徴とする、請求項１〜５のいずれか１項記載の伝送特性評価システム。
【請求項７】
該光素子から出力される該光受信装置への信号光について、所定量の損失を与える損失付与部が、該擬似伝送路装置に設けられるとともに、
上記の擬似伝送路装置の伝送特性設定部が、該ミラーを可動制御することにより、上記の光送信装置および光受信装置が接続されるべき伝送路が有しうる波長分散特性と等価の波長分散特性を設定する波長分散特性設定部と、上記の光送信装置および光受信装置が接続されるべき伝送路が有しうる損失量と等価の損失特性となるように、該損失付与部による損失量を設定する損失量設定部をそなえて構成されたことを特徴とする、請求項１〜５のいずれか１項記載の伝送特性評価システム。
【請求項８】
該光素子から出力される該光受信装置への信号光について所定量の損失を与える損失付与部と、該光素子の素子温度を調整する素子温度調整器とが、該擬似伝送路装置に設けられるとともに、
上記の擬似伝送路装置の伝送特性設定部が、該ミラーを可動制御することにより、波長ごとの波長分散特性を一定に設定する波長分散特性設定部をそなえるとともに、該波長分散特性設定部にて上記波長ごとの波長分散特性を一定にしながら、上記伝送路が有しうる挿入損失傾斜特性と等価の挿入損失傾斜特性を得られるように、上記の損失付与部による信号光の損失量および素子温度調整器による該光素子の調整温度を設定する挿入損失傾斜特性設定部をそなえて構成されたことを特徴とする、請求項１〜５のいずれか１項記載の伝送特性評価システム。
【請求項９】
光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、
該擬似伝送路装置が、該光送信装置にて送信された上記試験用の信号光を、多重反射して自己干渉を行なわせることにより、波長によって異なる出力角度で放出する光素子と、
該光素子から放出された信号光を集束させるレンズと、
該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、
上記のミラーまたは光素子を制御することにより、上記の光送信装置および光受信装置が接続されるべき伝送路と等価の伝送特性を設定する伝送特性設定部とをそなえて構成され、
かつ、該ミラーで戻され該光素子から出力された信号光に対して偏波モード分散を与えうる偏波モード分散付与部をそなえるとともに、該伝送特性設定部が、上記のミラーまたは光素子とともに、該偏波モード分散付与部を制御することにより、上記の光送信装置および光受信装置が接続されるべき伝送路が有しうる伝送特性と等価の伝送特性を設定することを特徴とする、伝送特性評価システムにおける擬似伝送路装置。
【請求項１０】
光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、
該擬似伝送路装置が、該光送信装置にて送信された上記試験用の信号光を、多重反射して自己干渉を行なわせることにより、波長によって異なる出力角度で放出する光素子と、
該光素子から放出された信号光を集束させるレンズと、
該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、
上記のミラーまたは光素子を制御することにより、上記の光送信装置および光受信装置が接続されるべき伝送路と等価の伝送特性を設定する伝送特性設定部とをそなえ、
かつ、光送信装置にて送信された信号光について非線形光学効果を与えうる非線形光学効果付与部をそなえて構成されたことを特徴とする、伝送特性評価システムにおける擬似伝送路装置。
【発明の詳細な説明】
【技術分野】
【０００１】
本発明は、伝送特性評価装置に関し、例えば光通信伝送システムの特性評価を行なう際に用いて好適な、伝送特性評価装置に関する。
【背景技術】
【０００２】
光通信システムにおいて用いられるレーザダイオード（Laser Diode;ＬＤ）で発光される光の通信性能とともに、電気信号を光信号に変換する電気／光変換（Electric/Optic;Ｅ／Ｏ）モジュールおよび光信号を電気信号に変換する光／電気変換部（Optic/Electric;Ｏ／Ｅ）モジュールの信号変換性能は、伝送路を構成する光ファイバの分散特性に依存することが知られている。
【０００３】
特に、上述のＬＤないしＥ／Ｏモジュールをそなえた光送信装置や、Ｏ／Ｅモジュールをそなえた光受信装置の性能品質を評価するに際して、上述の伝送路を構成する光ファイバの分散量の大小に対する伝送特性である分散耐力は重要な指標値となっている。
図１３は従来の分散耐力の測定システムを示すブロック図であるが、この図１３に示す測定システム２００は、光送信装置２１０と光受信装置２２０とを、実際の光通信システムにおける伝送路をなす光ファイバに見立てたダミーファイバ２３０で接続されてなるものである。
【０００４】
ここで、光送信装置２１０は、光源２０１および変調器２０２からなるＥ／Ｏモジュール２０３とともにパターンパルス発生器（ＰＰＧ）２０４をそなえ、Ｅ／Ｏモジュール２０３のパターンパルス発生器２０４で生成される特定のパルスパターンの電気信号を変調器２０２で光パルス信号に変換して、上述のダミーファイバ２３０を介して光受信装置２２０に対して送信するようになっている。
【０００５】
また、光受信装置２２０は、受信増幅器２２１，Ｏ／Ｅモジュール２２２およびバーテスタ（BER Tester：Bit Error Rate Tester）２２３をそなえ、ダミーファイバ２３０を介して伝送された（受信増幅器２２１で増幅された）光パルス信号について、Ｏ／Ｅモジュール２２２で電気信号に変換し、受信電気信号としてバーテスタ２２３に出力する。
バーテスタ２２３では光送信装置２１０のパルスパターン発生器２０４で発生したパルスパターンの電気信号に対する受信電気信号の誤り検出を行なう。ここで用いたダミーファイバ２３０の分散値（ファイバ長）を変化させると、バーテスタ２２３で検出される誤り率が変化する。このファイバ長の変化に対する誤り率の変化を用いることにより、その光素子、光モジュール及び測定系の分散耐力が測定できる。
【０００６】
換言すれば、このバーテスタ２２３からの誤り検出値によって、当該ダミーファイバ２３０の分散値に対する、Ｅ／Ｏモジュール２１０やＯ／Ｅモジュール２２０の通信品質を評価することができる。更に、これらのダミーファイバ２３０の分散値を大小させることで、Ｅ／Ｏモジュール２１０やＯ／Ｅモジュール２２０の通信品質を、分散耐力として測定することができる。
【０００７】
なお、上述の測定システム２００において、ダミーファイバ２３０の分散値を大小させて誤り検出値を測定する際には、当該ダミーファイバ２３０での誤り検出値を測定するごとに、長さが異なるダミーファイバ２３０を光送信装置２１０および光受信装置２２０に接続し直すことが必要である。
また、最近では、このダミーファイバの変わりに、ファイバ・ブラッグ・グレーティング（ＦＢＧ）型の可変分散補償器（ＪＤＳ-Ｕｎｉｐｈｅｓｅ(米)，ＴｅｒａＸｉｏｎ（加）やＳＰＩＲＥＮＴ社光ネットワークシミュレータ）を用いた測定手法もある。これらの手法によれば、上述の測定システム２００のごとく、伝送路の分散値を大小させるために、ダミーファイバ２３０を付け替える必要がなくなる。
【０００８】
一方、近年においては、上述のＬＤないしＥ／Ｏモジュールをそなえた光送信装置や、Ｏ／Ｅモジュールをそなえた光受信装置の伝送特性を評価するに際して、上述の伝送路を構成する光ファイバの、伝送される光波長に応じた（光ファイバの）挿入損失の変化量である挿入損失傾斜耐力についても、指標値の一つとして考えられている。
この挿入損失傾斜耐力の測定手法としては、本来の使用帯域より約１０倍程度広い可変波長バンドパスフィルタモジュールを、上述のごとき光送信装置２１０および光受信装置２２０間に介装させて、このフィルタモジュールの中心波長をシフトさせることで、使用透過帯域の波長に対する挿入損失の分布に傾斜を与えることにより、バーテスタ２２３で信号誤り率を測定するようになっている。
【０００９】
すなわち、使用透過帯域の波長に対する挿入損失の分布の傾斜の度合いによって変化する信号誤り率を測定することによって、挿入損失傾斜耐力を測定するのである。
なお、本発明に関連する技術として、以下に示す特許文献１に記載された技術がある。
【特許文献１】特開２００２―２５８２０７号公報
【発明の開示】
【発明が解決しようとする課題】
【００１０】
しかしながら、ＬＤないしＥ／Ｏモジュールをそなえた光送信装置や、Ｏ／Ｅモジュールをそなえた光受信装置のごとき光モジュールの性能品質を評価するための指標値を測定する場合においては、このような従来の手法に比べて、より測定レンジを広くしながら、測定のための作業工数を減らし、且つ測定精度を高めた手法が求められる。
たとえば、上述の従来の分散耐力を測定する手法においては、マルチチャネルの評価、即ち波長多重光を伝送した場合の各波長の分散耐力を評価するためには、測定対象の波長に応じて、光送信装置および光受信装置間に介装される可変分散補償器を別々に準備することが必要であるほか、正の分散値から負の分散値まで任意に可変させることができず、光モジュールの伝送性能評価のための分散耐力を十分な範囲で測定することができないという課題がある。
【００１１】
また、上述の従来の挿入損失傾斜耐力測定の手法においては、上述の分散耐力と共通の測定システムで測定することができないほか、バンドパスフィルタモジュールの中心波長をシフトさせると、挿入損失の値ばかりか帯域内分散値についても変化が生じてしまうため、バーテスタ２２３で検出される誤り検出値が、分散値の変化によるものか、挿入損失の値によるものなのかが正確に評価することが困難であるという課題もある。
【００１２】
本発明は、このような課題に鑑み創案されたもので、光モジュールの伝送特性を評価する際の分散耐力や挿入損失傾斜耐力の測定を、測定のための作業工数を減らすとともに、より高精度に測定できるようにした、伝送特性評価システムおよびその擬似伝送路装置を提供することを目的とする。
【課題を解決するための手段】
【００１３】
上述の課題を解決するため、本発明の伝送特性評価システムは、電気パルス信号を発生するパルス信号発生器と該電気パルス信号を光信号に変換しうる電気／光変換部とを有し該光信号を出力する光送信装置と、該光送信装置からの該光信号を入力し入力された光信号を電気信号に変換しうる光／電気変換部と該電気信号と該電気パルス信号との比較により信号誤りを測定する信号誤り測定器とを有する光受信装置と、を備えるとともに、異なる波長の光に対して異なる波長分散を付与しうる可変波長分散素子と該可変波長分散素子の出力光に偏波モード分散を付与しうる偏波モード分散付与部とを有する擬似伝送路装置が、該光送信装置と該光受信装置との間に介装され、該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、該擬似伝送路装置は、該可変波長分散素子の該ミラーまたは該光素子とともに、該偏波モード分散付与部を制御することにより、上記の光送信装置および光受信装置が接続されるべき伝送路が有する伝送特性と等価の伝送特性を設定することを特徴としている。
【００１４】
この場合においては、該擬似伝送路装置を、該光送信装置より出力された該信号光に非線形光学効果を与えうる非線形光学効果付与部を有することとしてもよい。
また、好ましくは、該伝送特性設定部を、該偏波モード分散付与部で与える偏波モード分散を、上記の光送信装置および光受信装置が接続されるべき伝送路が有する偏波モード分散特性と等価となるよう制御する偏波モード分散制御部を有することとすることができる。
【００１５】
また、本発明の伝送特性評価システムは、電気パルス信号を発生するパルス信号発生器と該電気パルス信号を光信号に変換しうる電気／光変換部とを有し該光信号を出力する光送信装置と、該光送信装置からの該光信号を入力し入力された光信号を電気信号に変換しうる光／電気変換部と該電気信号と該電気パルス信号との比較により信号誤りを測定する信号誤り測定器とを有する光受信装置と、を備えるとともに、異なる波長の光に対して異なる波長分散を付与しうる可変波長分散素子と該可変波長分散素子の出力光に偏波モード分散を付与しうる偏波モード分散付与部とを有する擬似伝送路装置が、該光送信装置と該光受信装置との間に介装され、該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、該擬似伝送路装置が、該光送信装置より出力された該信号光に非線形光学効果を与えうる非線形光学効果付与部を有することを特徴としている。
【００１６】
さらに、上述の伝送特性評価システムにおいては、上記の光送信装置の電気／光変換部を、上記電気パルス信号を互いに異なる複数の光信号に変換し上記変換された複数の光信号を波長多重光として出力しうるように構成するとともに、上記の光受信装置の光／電気変換部を、光送信装置からの波長多重光としての光信号を、上記伝送特性が設定された該擬似伝送路装置を介して入力されて、波長分離した後にそれぞれ電気信号に変換しうるように構成し、かつ、上記の光受信装置の信号誤り測定器を、上記波長分離した後に変換された電気信号について、それぞれ上記信号誤りを測定するように構成することとしてもよい。
【００１７】
また、上記の擬似伝送路装置の伝送特性設定部を、該ミラーの可動量を設定することにより、上記の光送信装置および光受信装置が接続されるべき伝送路が有しうる波長分散特性と等価の波長分散特性を設定する波長分散特性設定部により構成することもできる。
さらに、該光素子から出力される該光受信装置への信号光について、所定量の損失を与える損失付与部を、該擬似伝送路装置に設けるとともに、上記の擬似伝送路装置の伝送特性設定部を、該ミラーを可動制御することにより、上記の光送信装置および光受信装置が接続されるべき伝送路が有しうる波長分散特性と等価の波長分散特性を設定する波長分散特性設定部と、上記の光送信装置および光受信装置が接続されるべき伝送路が有しうる損失量と等価の損失特性となるように、該損失付与部による損失量を設定する損失量設定部をそなえて構成することもできる。
【００１８】
また、該光素子から出力される該光受信装置への信号光について所定量の損失を与える損失付与部と、該光素子の素子温度を調整する素子温度調整器とを、該擬似伝送路装置に設けるとともに、上記の擬似伝送路装置の伝送特性設定部を、該ミラーを可動制御することにより、波長ごとの波長分散特性を一定に設定する波長分散特性設定部をそなえるとともに、該波長分散特性設定部にて上記波長ごとの波長分散特性を一定にしながら、上記伝送路が有しうる挿入損失傾斜特性と等価の挿入損失傾斜特性を得られるように、上記の損失付与部による信号光の損失量および素子温度調整器による該光素子の調整温度を設定する挿入損失傾斜特性設定部をそなえて構成してもよい。
【００１９】
また、本発明の伝送特性評価システムにおける擬似伝送路装置は、光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、該擬似伝送路装置が、該光送信装置にて送信された上記試験用の信号光を、多重反射して自己干渉を行なわせることにより、波長によって異なる出力角度で放出する光素子と、該光素子から放出された信号光を集束させるレンズと、該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、上記のミラーまたは光素子を制御することにより、上記の光送信装置および光受信装置が接続されるべき伝送路と等価の伝送特性を設定する伝送特性設定部とをそなえて構成され、かつ、該ミラーで戻され該光素子から出力された信号光に対して偏波モード分散を与えうる偏波モード分散付与部をそなえるとともに、該伝送特性設定部が、上記のミラーまたは光素子とともに、該偏波モード分散付与部を制御することにより、上記の光送信装置および光受信装置が接続されるべき伝送路が有しうる伝送特性と等価の伝送特性を設定することを特徴としている。
【００２０】
さらに、本発明の伝送特性評価システムにおける擬似伝送路装置は、光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、該擬似伝送路装置が、該光送信装置にて送信された上記試験用の信号光を、多重反射して自己干渉を行なわせることにより、波長によって異なる出力角度で放出する光素子と、該光素子から放出された信号光を集束させるレンズと、該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、上記のミラーまたは光素子を制御することにより、上記の光送信装置および光受信装置が接続されるべき伝送路と等価の伝送特性を設定する伝送特性設定部とをそなえ、かつ、光送信装置にて送信された信号光について非線形光学効果を与えうる非線形光学効果付与部をそなえて構成されたことを特徴としている。
【発明の効果】
【００２１】
このように、本発明によれば、光送信装置の電気／光変換部または光受信装置の光／電気変換部の伝送特性を評価する際の分散耐力の測定を、従来よりの測定態様に比して作業工数を減らすとともに、正の分散値から負の分散値にわたり広いレンジで高精度に測定することができるとともに、非線形光学効果付与部，偏波モード分散付与部をそなえたことにより、擬似伝送路装置として、実際の光伝送路が持っている特性である非線形光学効果，偏波モード分散の特性を擬似的に持たせることができるので、実際の伝送路が持っている特性により近い環境で分散耐力の測定を行なうことができ、分散耐力の測定精度も飛躍的に向上させることができる利点がある。
【００２２】
また、本発明によれば、分散耐力を測定するためのシステムに機能追加するのみで、分散耐力のみならず挿入損失傾斜耐力を共通の測定システムで測定することができるため、伝送特性評価システムないし擬似伝送路装置の利用態様を広げ、更には挿入損失傾斜耐力を測定する際の測定条件として、分散の影響を固定しておくことができるので、信号誤り測定器で検出される誤り検出値を、挿入損失の値によるものかを正確に評価することができ、更には、非線形光学効果付与部，偏波モード分散付与部をそなえたことにより、擬似伝送路装置として、実際の光伝送路が持っている特性である非線形光学効果，偏波モード分散の特性を擬似的に持たせることができるので、実際の伝送路が持っている特性により近い環境で挿入損失傾斜耐力の測定を行なうことができ、挿入損失傾斜耐力の測定精度も飛躍的に向上させることができる利点がある。
【発明を実施するための最良の形態】
【００２３】
以下、図面を参照して本発明の実施の形態を説明する。
〔ａ１〕本発明の関連発明における第１の実施形態の説明
図１は本発明の関連発明における第１の実施形態にかかる伝送特性評価システムを示すブロック図で、この図１に示す伝送特性評価システム１は、光信号を送信する光送信装置２および光送信装置２からの光信号を受信する光受信装置３をそなえるとともに、擬似伝送路装置４が光送信装置２および光受信装置３の間に介装されて、光送信装置２および光受信装置３間において試験用の光信号を送受することにより、光送信装置２または光受信装置３の伝送特性を評価するものである。
【００２４】
ここで、光送信装置２は、特定パターンの電気パルス信号を試験用に発生するパルス信号発生器としてのパターンパルスジェネレータ（ＰＰＧ）２１と、パターンパルスジェネレータ２１にて発生された電気パルス信号を光信号に変換しうる電気／光変換部２２とをそなえ、電気／光変換部２２からの光信号を試験用の光信号として送信するようになっている。
【００２５】
なお、電気／光変換部２２は、ＬＤ（Laser Diode）等の光源２３および光源２３からの連続光（単波長光）を、ＰＰＧ２１からの電気パルス信号で変調する変調器２４とをそなえて構成されているが、この電気／光変換部２２としては、ＰＰＧ２１からの電気パルス信号に基づいて光パルス信号を出射するＬＤにより構成することもできる。
また、擬似伝送路装置４は、光送信装置２の電気／光変換部２２および光受信装置３の光／電気変換部３２が接続されるべき伝送路の伝送特性を擬似的に有するものであって、光サーキュレータ４１，コリメーティングレンズ４２，ラインフォーカスレンズ（シリンドリカルレンズ）４３，光素子４４，フォーカシングレンズ４５，３次元自由曲面ミラー４６，可変光減衰器（Variable Optical Attenuator：以下、ＶＯＡと称する）４７−１，光増幅器４７−２，アクチュエータ４６Ａおよびコントローラ４８をそなえて構成されている。
【００２６】
ここで、光サーキュレータ４１は、電気／光変換部２２から送信された光信号については、後述のコリメーティングレンズ４２に出射するとともに、コリメーティングレンズ４２からの光信号についてはＶＯＡ４７−１に出射するものである。
換言すれば、光送信装置２から光サーキュレータ４１に入力された光信号は、後述のコリメーティングレンズ４２，ラインフォーカスレンズ４３，光素子４４およびフォーカシングレンズ４５を通じて３次元自由曲面ミラー（以下、単にミラーと称する場合がある）４６で反射され、逆の経路を辿って光サーキュレータ４１に入射された反射戻り光はＶＯＡ４７−１に出射される。
【００２７】
ここで、光サーキュレータ４１から３次元自由曲面ミラー４６で反射するまでの光信号に着目すると、コリメーティングレンズ４２は、光送信装置２からの信号光を光サーキュレータ４１に接続された光ファイバ端部４９から放射された放射光として入射されて、この放射光を平行光に集光（コリメート）するものである。
また、ラインフォーカスレンズ４３は、コリメーティングレンズ４２からの平行光をラインフォーカス光（焦点がライン状に分布した光）にして光素子４４に入射させるものである。更に、光素子４４は、光送信装置にて送信された信号光を、多重反射して自己干渉を行なわせることにより、波長によって異なる出力角度で放出するものである。
【００２８】
図２は、上述のラインフォーカスレンズ４３から入射されたラインフォーカス光が光素子４４で多重反射して、この光素子４４で自己干渉を行なわせることにより、出力光を実質的に直線状の分散方向（図１中のミラー４６のＹ軸に平行な方向）に、波長によって異なる出力角度で分散出力する様子について模式的に示したものである。この図２に示すように、比較的長波長の光は図２中Ａの向きで出射され、中間波長の光は図２中Ｂの向きで出射され、短波長の光は図２中Ｃの向きで出射されるようになっている。
【００２９】
なお、光素子４４は、３つの膜５０ａ，５０ｂ，５０ｃがその表面に形成された板厚ｔの平行平板５０により構成される。ここで、膜５０ｃは、ラインフォーカスレンズ４３と光素子４４とを光学的に結合させるための反射防止膜（反射率約０パーセント）として機能するものであり、膜５０ｂは、後述の膜５０ａとは反対側面に形成された反射率が１００パーセントよりも低い（例えば９８パーセント程度の）反射膜であり、膜５０ａは、膜５０ｃの同一面上に形成されたほぼ１００パーセント程度の反射率を有する反射膜である。
【００３０】
すなわち、ラインフォーカスレンズ４３からの光は、透過域としての反射防止膜５０ｃを通じて、ラインフォーカスレンズ４３からの焦点距離上に配置された反射膜５０ｂに入射され、一部の光が出射されるとともに残りは反射膜５０ａに反射され、順次、反射膜５０ａおよび反射膜５０ｂによって、図中ラインフォーカスレンズ４３の入射点からは離れた点で多重反射されてゆく。
【００３１】
これにより、光素子４４の反射膜５０ｂから出射される光は、ビームウェストの虚像５１から広がる形と等価になる。虚像５１は、平行平板５０に対する垂直線に沿って一定の間隔２ｔで階段状に並ぶ。このように階段状に並んだ虚像５１からの光は、互いに干渉することで自己干渉されて、波長に従って異なる角度のライン状の光となる。
すなわち、比較的短波長の光については、図２の矢印Ａで示す角度のライン状の光となり、比較的長波長の光については、図２の矢印Ｃで示す角度のライン状の光となり、中間波長の光については、矢印Ｂで示す角度のライン状の光となる。
【００３２】
なお、自己干渉とは、同じ光源から発生した複数の光または光線の間に生じる干渉のことである。即ち、反射膜５０ｂから出射される光は、階段状に並んだ（光源が同じ）虚像５１から広がる光と等価となるので、これらの虚像５１からの光は自己干渉することによって、波長ごとに異なる角度で出射されるのである。
このように、階段状に並んだ虚像を作る光素子をバーチャリ・イメージド・フェーズド・アレイ（Virtually Imaged Phased Array）と言い、一般にＶＩＰＡ素子とも呼ばれている。
【００３３】
フォーカシングレンズ（レンズ）４５は、光素子４４から放出されたライン状の信号光を、後段のミラー４６の表面において点状に集束させるものである。即ち、図１中ミラー４６のＸ軸に平行なライン状（帯状）の光を、図３に示す長波長光Ａはミラー４６上の点４６ａ周辺において、中間波長光Ｂはミラー４６上の点４６ｂ周辺において、短波長光Ｃはミラー４６上の点４６ｃ周辺において、それぞれ点状に集束させるようになっている。
【００３４】
ミラー４６は、フォーカシングレンズ４５からの光について反射させて、反射戻り光をフォーカシングレンズ４５に出射するものである。具体的には、フォーカシングレンズ４５にて集束した信号光をレンズ４５に反射して戻すことによって、戻された信号光（反射戻り光）が光素子４４内で多重反射を受けることにより、光受信装置４への信号光として出力されるようにするとともに、レンズ４５にて集束した信号光の反射面位置によって、上記の光受信装置への信号光に異なる波長分散を与えうるものである。
【００３５】
ここで、ミラー４６の反射面は、フォーカシングレンズ４５からの光の入射位置をアクチュエータ４６Ａの駆動により変化させる（動かす）と、上述の反射戻り光による反射角度を任意に調節しうる３次元曲面を有して構成されている。
すなわち、アクチュエータ４６Ａの駆動によりフォーカシングレンズ４５からの光に対する反射戻り光による反射角度を調節することができるので、この反射戻り光の光素子４４における反射膜５０ｂ上の入射位置についても設定することができる。即ち、反射戻り光の光素子４４における反射膜５０ｂ上の入射位置に応じて、平行平板５０内での戻り反射光の多重反射による光路長差を設けることができるようになっている。
【００３６】
本発明の関連発明における第１の実施形態にかかる擬似伝送路装置４においては、波長ごとに入射光位置（Ｙ軸上の座標値）が異なるミラー４６の反射角度を、アクチュエータ４６Ａの駆動によりミラー４６をＸ軸に平行に動かすことにより調整して、入射光波長ごとの反射戻り光の光路長差を設けることができるようになっている。これにより、光送信装置２の電気／光変換部２２および光受信装置３の光／電気変換部３２が介装されるべき実際の伝送路が持ちうる波長分散特性を与えることができるようになっているのである。
【００３７】
なお、光素子４４で波長ごとの光路長差が設けられた反射戻り光は、ラインフォーカスレンズ４３およびコリメーティングレンズ４２を通じて再び光ファイバ端部４９に入射され、光サーキュレータ４１を介してＶＯＡ４７−１に出力される。従って、上述のコリメーティングレンズ４２，ラインフォーカスレンズ４３，光素子４４，フォーカシングレンズ４５およびミラー４６による光学系により、実際に接続される伝送路が持ちうる波長分散特性と等価の波長分散特性を得ることができるようになっている。
【００３８】
ＶＯＡ４７−１および光増幅器４７−２はそれぞれが協働することにより、光サーキュレータ４１からの、実際に接続される伝送路が持ちうる分散と等価の分散が得られた光信号について、実際の伝送路によるものと等価の損失が得られるように光強度を調整するものであり、ＶＯＡ４７−１はコントローラ４８で設定された減衰量で光を減衰させ、光増幅器４７−２はコントローラ４８で設定された増幅率で光を増幅させる。
【００３９】
これにより、光増幅器４７−２から出力された光信号は、上述のごとく実際に接続される伝送路と同等の波長分散特性および損失特性を擬似の伝送路としての擬似伝送路装置４の出力信号として、光受信装置３に入力される。従って、上述のＶＯＡ４７−１および光増幅器４７−２は、光素子４４から出力される光受信装置３への信号光について所定量の損失を与える損失付与部として機能する。
【００４０】
また、コントローラ４８は、例えばプロセッサ等により構成されて、伝送特性評価システム１における光送信装置２，光受信装置３と例えばＧＰＩＢ（General Purpose Interface Bus）を通じてリンクされ、測定系全体をコントロールするものである。
すなわち、コントローラ４８は、ミラー４６または光素子４４に対する制御量を設定することにより、上記の光送信装置２の電気／光変換部２２および光受信装置３の光／電気変換部３２が接続されるべき伝送路が有しうる伝送特性と等価の伝送特性を設定する伝送特性設定部として機能するもので、反射位置設定部４８Ａおよび損失量設定部４８Ｂおよび伝送特性評価部４８Ｃをそなえている。
【００４１】
ここで、反射位置設定部４８Ａは、上述のミラー４６の光信号の反射位置を調整するアクチュエータ４６Ａを制御するもので、ミラー４６の可動量を設定することにより、光送信装置２および光受信装置３が接続されるべき伝送路と等価の波長分散特性を設定する波長分散特性設定部として機能する。又、損失量設定部４８Ｂは、光送信装置２および光受信装置３が接続されるべき伝送路が有しうる損失量と等価の損失特性となるように、ＶＯＡ４７−１および光増幅器４７−２による信号光の減衰量および増幅率をそれぞれ設定するものである。
【００４２】
さらに、光受信装置３は、上述のごとく光送信装置２にて送信された光信号を、擬似伝送路装置４にて実際に接続されるべき伝送路を伝送した光信号と等価の光信号に変調された光信号として受信するものであって、光／電気変換部３２および信号誤り測定器３３をそなえて構成されている。
すなわち、光／電気変換部３２は、光送信装置２で送信された光信号を伝送特性が設定された擬似伝送路装置４を介して入力されて、電気信号に変換しうるものであり、例えばフォトダイオード等により構成される。又、バーテスタ（信号誤り測定器）３３は、光／電気変換部３２からの電気信号とパターンパルスジェネレータ２１にて発生された電気パルス信号とを比較して、信号誤りを測定するものであり、測定結果については、例えばＧＰＩＢを介してコントローラ４８に出力されるようになっている。
【００４３】
また、コントローラ４８の伝送特性評価部４８Ｃは、上述のバーテスタ３３にて測定された信号誤りに基づいて、電気／光変換部２２または光／電気変換部３２による伝送評価結果としての分散耐力（波長分散耐力）を求めるものである。
すなわち、光／電気変換部３２の仕様を固定すれば、バーテスタ３３では、電気／光変換部２２の仕様に応じた伝送特性を評価するための信号誤りを測定することができ、電気／光変換部２２の仕様を固定すれば、バーテスタ３３では、光／電気変換部３２の仕様に応じた伝送特性を評価するための信号誤りを測定することができる。
【００４４】
上述の構成による、本発明の関連発明における第１の実施形態にかかる伝送特性評価システム１では、光源２３からの所定波長の光がＰＰＧ２１で変調された信号光を、擬似伝送路装置４を介して光受信装置３で受信するが、この光受信装置３のバーテスタ３３において、受信された光信号の信号誤りを測定して、この測定値をもとにコントローラ４８で伝送特性としての分散耐力を求める。
【００４５】
このとき、擬似伝送路装置４の光サーキュレータ４１では光送信装置２からの光信号を受けると、コリメーティングレンズ４２，ラインフォーカスレンズ４３，光素子４４およびフォーカシングレンズ４５を通じて３次元自由曲面ミラー（以下、単にミラーと称する場合がある）４６で反射され、逆の経路を辿って光サーキュレータ４１に入射された反射戻り光はＶＯＡ４７−１に出射される。
【００４６】
また、コントローラ４８の反射位置設定部４８Ａでは、ミラー４６の反射位置を図１のＸ軸に沿って連続的に可変調整することで、反射戻り光の分散量を正の分散値から負の分散値まで連続的に可変させる。尚、損失量設定部４８ＢによるＶＯＡ４７−１の減衰量および光増幅器４７−２の増幅率については、光送信装置２の電気／光変換部２２および光受信装置３の光／電気変換部３２を実際に運用すべき光通信システムにおける伝送路の損失特性が得られるように設定しておく。
【００４７】
これにより、光受信装置３では、分散量が可変された信号光を受信することができ、この可変された分散値を持つ受信光信号について、バーテスタ３３で誤り誤り測定値を計測していく。更に、伝送特性評価部４８Ｃでは、バーテスタ３３からの信号誤り測定値を、分散値と対応させて蓄積してゆき、分散耐力を求める。
このようなミラー４６の反射位置を可変調整することで、従来よりのファイバグレーティングを使用して分散値可変設定を行なう手法よりも、実際の伝送路が持ちうる正の分散値から負の分散値まで大幅に広いレンジの分散量を容易に設定することができる。又、ミラー４６面は、反射角度が連続的に可変するように滑らかな曲面を有しているので、ミラー４６の反射位置の微調整を行なうことで、高精度に分散量を設定することができる。
【００４８】
このように、本発明の関連発明における第１の実施形態にかかる伝送特性評価システムによれば、光モジュールとしての電気／光変換部２２または光／電気変換部３２の伝送特性を評価する際の分散耐力の測定を、ダミーファイバを施設して測定する態様に比して作業工数を減らすとともに、正の分散値から負の分散値にわたり広いレンジで高精度に測定することができる利点がある。
【００４９】
なお、上述の本発明の関連発明における第１の実施形態においては、電気／光変換部２２としてのＥ／Ｏ（Electric/Optic）モジュールにＰＰＧ２１を接続しているが、本発明によれば、光源としてのＬＤに直接ＰＰＧ２１を接続して、ＰＰＧ２１からのパルス信号が変調された光信号を出力するようにしてもよい。この場合においては、ＬＤそのものの分散耐力として伝送特性評価結果を求めることができる。
【００５０】
また、上述の本発明の関連発明における第１の実施形態においては、ＶＯＡ４７−１および光増幅器４７−２をそなえ、損失特性を実際の伝送路と等価となるようにしているが、本発明によれば、少なくとも波長分散特性を実際の伝送路が取りうる値に可変できれば、ＶＯＡ４７−１および光増幅器４７−２による損失特性の設定については省略してもよく、このようにしても、上述の場合のごとき利点を得ることができる。
【００５１】
〔ａ２〕本発明の第１の関連発明の実施形態の変形例の説明
上述の第１の関連発明の実施形態においては、光送信装置２において単一波長の光信号を出力する電気／光変換部２２をそなえるとともに、光受信装置３において光送信装置２からの単一波長の光信号を受信する光／電気変換部３２をそなえ、単一波長の光信号を送受信することにより、分散耐力を測定しているが、本発明によればこれに限定されず、例えば図４に示すような構成の光送信装置２Ａおよび光受信装置３Ａを擬似伝送路装置４に接続することにより、伝送特性評価システム１Ａを構成することとしてもよい。
【００５２】
なお、図４中、４は前述の第１の関連発明の実施形態の場合と同様の擬似伝送路装置であり、又、前述の第１の関連発明の実施形態の場合と同様に、擬似伝送路装置４のコントローラ（図１の符号４８参照）は、光送信装置２Ａおよび光受信装置３Ａと制御ラインでリングされているが、図４中においてはその図示については省略している。
ここで、この図４に示す伝送特性評価システム１Ａの光送信装置２Ａは、電気パルス信号を互いに異なる複数の光信号に変換し変換された複数の光信号を波長多重光として出力する電気／光変換部２２Ａと、前述の第１の関連発明の実施形態の場合と同様のＰＰＧ２１とをそなえている。この電気／光変換部２２Ａは、ＰＰＧ２１からの電気パルス信号で変調された互いに異なる波長の光信号を出力しうる複数の発光モジュール２５−１〜２５−ｎと、発光モジュール２５−１〜２５−ｎからの光信号を波長多重して送信する波長多重部２６と、をそなえて構成されている。
【００５３】
なお、上述の発光モジュール２５−１〜２５−ｎとしては、それぞれ、互いに異なる波長の連続光を出力する光源およびＰＰＧ２１からの電気パルス信号で光源からの連続光を変調する変調器とをそなえて構成されているが（発光モジュール２５−１の符号２３Ａおよび２４Ａ参照）、ＰＰＧ２１からの電気パルス信号で変調された光信号を出力するＬＤにより構成することとしてもよい。
【００５４】
また、光受信装置３は、光送信装置２Ａからの波長多重光としての光信号を、伝送特性が設定された擬似伝送路装置４を介して入力されて、波長分離した後にそれぞれ電気信号に変換しうる光／電気変換部３２Ａと、電気信号に変換されたそれぞれの信号について、ＰＰＧ２１からの電気パルス信号に基づいて信号誤りを測定する複数のバーテスタ３３−１〜３３−ｎをそなえて構成されている。
【００５５】
ここで、上述の光／電気変換部３２Ａは、擬似伝送装置４からの波長多重光を波長分離する波長分離部３４と、波長分離部３４にて波長分離された信号光のそれぞれについて電気信号に変換する複数の受光モジュール３５−１〜３５−ｎをそなえて構成されている。
上述の構成により、本発明の関連発明の第１の実施形態の変形例にかかる伝送特性評価システム１Ａにおいては、光送信装置２Ａから（ＰＰＧ２１で変調された）波長多重光を、擬似伝送路装置４を介して光受信装置３Ａで受信するが、この光受信装置３Ａのバーテスタ３３−１〜３３―ｎにおいては、それぞれ、受信された光信号の信号誤りを測定して、伝送特性としての分散耐力を求める。
【００５６】
このとき、複数波長の光信号の信号誤りをそれぞれ測定する複数のバーテスタ３３−１〜３３−ｎのうちで、反射位置設定部４８Ａによりミラー４６の反射位置を一つの波長の光ずつ着目して調整することにより、当該波長の光についての分散量を可変させながら信号誤りを測定していくことにより、波長多重光を伝送した場合の各波長の分散耐力を、擬似伝送路装置を測定対象の波長対応に別々に準備しなくとも、コントローラ４８による設定変更のみで容易に測定することができる。
【００５７】
このとき、擬似伝送路装置４におけるコントローラ４８の反射位置設定部４８Ａでは、ミラー４６反射位置を図１のＸ軸に沿って連続的に可変調整することで、測定対象となる波長光における反射戻り光の分散量を、正の分散値から負の分散値まで連続的に可変させる。
なお、損失量設定部４８ＢによるＶＯＡ４７−１の減衰量および光増幅器４７−２の増幅率については、前述の第１の関連発明の実施形態の場合と同様、光送信装置２Ａの電気／光変換部２２Ａおよび光受信装置３Ａの光／電気変換部３２Ａを実際に運用すべき光通信システムにおける伝送路の損失量に設定しておく。
【００５８】
これにより、光受信装置３Ａでは、測定対象の波長光について分散量が所定量連続的に可変された波長多重光光を受信することができ、この可変された分散値を持つ受信光信号について、バーテスタ３３で誤り測定値を計測していく。更に、伝送特性評価部４８Ｃでは、バーテスタ３３からの信号誤り測定値を、分散値と対応させて蓄積してゆき、分散耐力を求める。
【００５９】
このように、本発明の関連発明における第１の実施形態の変形例にかかる伝送特性評価システムによれば、前述の第１の関連発明の実施形態の場合と同様の利点があるほか、マルチチャンネルでの分散耐力を測定することができるので、波長多重光を伝送した場合の各波長の分散耐力を、擬似伝送路装置４を測定対象の波長対応に別々に準備しなくとも、コントローラ４８による設定変更のみで容易に測定することができる。
【００６０】
〔ｂ〕本発明の関連発明における第２の実施形態の説明
上述の本発明の関連発明における第１の実施形態においては、光送信装置２において単一波長の光信号を出力する電気／光変換部２２をそなえるとともに、光受信装置３において光送信装置２からの単一波長の光信号を受信する光／電気変換部３２をそなえ、単一波長の光信号を送受信することにより、電気／光変換部２２または光／電気変換部３２の分散耐力を測定しているが、第２の関連発明の実施形態にかかる伝送特性評価システム１００においては、電気／光変換部２２または光／電気変換部３２の伝送特性として、挿入損失傾斜耐力について測定するようになっている。
【００６１】
図５は本発明の関連発明における第２の実施形態にかかる伝送特性評価システム１００を示す図であり、この図５に示す伝送特性評価システム１００においても、前述の第１の関連発明の実施形態の場合と同様に、光信号を送信する光送信装置２および光送信装置２からの光信号を受信する光受信装置３をそなえるとともに、擬似伝送路装置１０４が光送信装置２および光受信装置３の間に介装されて、光送信装置２および光受信装置３間において試験用の光信号を送受することにより、光送信装置２または光受信装置３の伝送特性を評価するものである。
【００６２】
なお、図５に示す伝送特性評価システム１００における光送信装置２および光受信装置３は、前述の第１の関連発明の実施形態の場合と同様の構成を有しており、その詳細な説明については省略する。
また、光送信装置２および光受信装置３に介装された擬似伝送路装置１０４は、前述の第１の関連発明の実施形態におけるもの（符号４参照）に比して、光送信装置２および光受信装置３が接続されるべき伝送路が有しうる分散量に対する、光送信装置２または光受信装置３の分散耐力に代えて、挿入損失傾斜耐力を測定するためのものである。
【００６３】
このために、本発明の関連発明における第２の実施形態における擬似伝送路装置１０４は、前述した第１の関連発明の実施形態の場合と同様の光サーキュレータ４１，コリメーティングレンズ４２，ラインフォーカスレンズ４３，光素子４４，フォーカシングレンズ４５，３次元自由曲面ミラー４６，ＶＯＡ４７−１，光増幅器４７−２およびアクチュエータ４６Ａをそなえるとともに、素子温度調節器４４Ａおよびコントローラ１４８をそなえて構成されている。
【００６４】
ここで、コントローラ１４８は、例えばプロセッサ等により構成されて、伝送特性評価システム１における光送信装置２，光受信装置３と例えばＧＰＩＢ（General Purpose Interface Bus）を通じてリンクされ、測定系全体をコントロールするものであり、光送信装置２および光受信装置３が接続されるべき伝送路が有しうる伝送特性と等価の伝送特性を設定する伝送特性設定部としての機能を有している。更に、コントローラ１４８は、波長分散特性設定部１４８Ａと、挿入損失傾斜特性設定部１４８Ｅとをそなえるとともに、伝送特性評価部１４８Ｄとをそなえて構成されている。
【００６５】
ここで、波長分散特性設定部１４８Ａおよび挿入損失傾斜特性設定部１４８Ｅは伝送特性設定部を構成するもので、波長分散特性設定部１４８Ａは、アクチュエータ４６Ａを通じてミラー４６を可動制御することにより、波長ごとの波長分散特性を一定に設定するものである。
また、挿入損失傾斜特性設定部１４８Ｅは、波長分散特性設定部１４８Ａにて上述の波長ごとの波長分散特性を一定に保ちながら、伝送路が有しうる挿入損失傾斜特性と等価の挿入損失傾斜特性を得られるように、ＶＯＡ４７−１および光増幅器４７−２による信号光の損失量および素子温度調整器４４Ａによる光素子４４の調整温度を設定するものであり、損失量設定部１４８Ｂおよび素子温度設定部１４８Ｃをそなえている。
【００６６】
図６，図７（ａ），図７（ｂ），図８（ａ）および図８（ｂ）はいずれも上述の挿入損失傾斜特性設定部１４８Ｅの動作を説明するための図である。光素子４４は、素子温度調節器４４Ａにより加温または冷却することにより、例えば０°Ｃ〜７５°Ｃの範囲で温度調節されることで、図６に示すように波長透過特性が変化するようになっている。尚、図７（ａ）は温度が０°Ｃの場合の波長透過特性を、図７（ｂ）は温度が７５°Ｃの場合の波長透過特性を示している。
【００６７】
すなわち、光素子４４の温度を上昇させると、これらの図６，図７（ａ）および図７（ｂ）に示すように、透過特性全体の波形自体はほぼ一定に、透過中心波長が短波長側に移動するようになっている。換言すれば、０°Ｃでほぼ平坦な透過特性を有する波長１５５０．６ｎｍ周辺を、光素子４４を加温して７５°Ｃとすることにより、右下がりに傾斜した透過特性とすることができる。
【００６８】
また、ＶＯＡ４７−１および光増幅器４７−２のそれぞれが協働することにより、図６，図７（ａ），図７（ｂ）で示したような透過特性を、全域の波長域にわたって増減させるものであり、ＶＯＡ４７−１は全波長域の透過特性について減衰させ、光増幅器４７−２は全波長域の透過特性について増幅させるようになっている。
すなわち、図６，図７（ａ），図７（ｂ）で示したような透過特性を、全波長域にわたって所望の割合で減衰ないし増幅させることができるようになっている。換言すれば、透過特性全体の波形自体はほぼ一定に、波形レベルを上下に移動させることができるのである。従って、上述のＶＯＡ４７−１および光増幅器４７−２は、光素子４４から出力される光受信装置３への信号光について所定量の損失を与える損失付与部として機能する。
【００６９】
「挿入損失」とは、光送信装置２および光受信装置３を接続すべき伝送路を構成する中継素子を光ファイバ間に挿入（介装）したことによる損失分であり、「挿入損失傾斜耐力」とは、上述の挿入損失が伝送信号として使用する光信号の波長帯域周辺における透過特性の波形が傾斜させた状態でも信号伝送できるところの度合いをいうものである。
ここで、上述の伝送信号として使用する光信号の波長帯域周辺における透過特性の波形を傾斜させるにあたっては、上述のＶＯＡ４７−１による減衰量および光増幅器４７−２による増幅率を損失量設定部１４８Ｂで設定するとともに、光素子４４の温度を調節する素子温度調節器４４Ａの調節温度を素子温度設定部１４８Ｃで設定するようになっている。即ち、図６，図７（ａ），図７（ｂ）で示したような透過特性の波形を上下左右に動かしながら、伝送信号として使用する光信号の波長帯域周辺における透過特性の傾きを増減させることができるのである。
【００７０】
たとえば、光素子４４の素子温度を７５°Ｃとし、損失量を３ｄＢとしていた場合に、伝送信号として使用する光信号の波長帯域Ｂの周辺の透過特性の傾きをほぼ平坦としている場合において〔図８（ａ）参照〕、この波長帯域Ｂにおける挿入損失についてはそのままに（１０ｄＢ）、透過特性を短波長側が下るような傾斜特性とする場合には、例えば光素子４４の温度を８５°Ｃ程度に加温するとともに、ＶＯＡ４７−１の減衰量を０ｄＢとする〔図８（ｂ）参照〕。尚、この場合においては、光増幅器４７−２については増幅作用を持たせないようにしている。
【００７１】
また、伝送特性評価部１４８Ｄは、上述のごとく挿入損失傾斜を増減させながら、光送信装置２および光受信装置３間において試験用の信号光を送受することにより測定した信号誤りをもとにして、挿入損失傾斜耐力を求めるようになっている。
上述の構成により、本発明の関連発明における第２の実施形態にかかる伝送特性評価システム１００においては、光源２３からの所定波長の光がＰＰＧ２１で変調された信号光を、擬似伝送路装置１０４を介して光受信装置３で受信するが、この光受信装置３のバーテスタ３３において、受信された光信号の信号誤りを測定するとともに、コントローラ１４８の伝送特性評価部１４８Ｄでは、バーテスタ３３で測定された信号誤りを基にして伝送特性としての挿入損失傾斜耐力を求める。
【００７２】
このとき、素子温度設定部１４８Ｃでの設定により、素子温度調節器４４Ａを通じて光素子４４の温度が調整されることにより、任意の分散値において透過帯域中心波長をシフトさせ透過帯域の傾きを調整する一方、損失量設定部１４８Ｂでの設定により、挿入損失の変化をＶＯＡ４７−１または光増幅器４７−２で補償する。これにより、伝送される信号光の波長帯周辺の挿入損失の傾斜特性について連続的に可変させることができる。
【００７３】
伝送特性評価部１４８Ｄでは、このような連続的に挿入損失の傾斜特性が変化する設定状態において伝送された信号光から、バーテスタ３３で測定された信号誤りをもとにして、挿入損失傾斜耐力測定を測定する。
なお、ミラー４６をアクチュエータ４６Ａを通じて可動制御することにより、波長ごとの波長分散特性を一定に設定された状態で、挿入損失傾斜を増減させることができるので、透過特性の波形傾斜に関して分散による影響を考慮する必要がなくなり、挿入損失傾斜耐力としての測定精度を大幅に高めている。
【００７４】
このように、本発明の関連発明における第２の実施形態にかかる伝送特性評価システムによれば、前述の関連発明の第１の実施形態における分散耐力を測定するためのシステムに機能追加するのみで、分散耐力のみならず挿入損失傾斜耐力を共通の測定システムで測定することができるため、伝送特性評価システムないし擬似伝送路装置の利用態様を広げ、更には挿入損失傾斜耐力を測定する際の測定条件として、分散の影響を固定しておくことができるので、バーテスタ３３で検出される誤り検出値を、挿入損失の値によるものかを正確に評価することができる利点もある。
【００７５】
なお、上述の実施形態においては、光送信装置２において単一波長の光信号を出力する電気／光変換部２２をそなえるとともに、光受信装置３において光送信装置２からの単一波長の光信号を受信する光／電気変換部３２をそなえ、単一波長の光信号を送受信することにより、分散耐力を測定しているが、本発明によればこれに限定されず、例えば本発明の関連発明における第１の実施形態の変形例（図４参照）と同様に、波長多重光を送信する光送信装置２Ａおよび波長多重光を受信する光受信装置３Ａを擬似伝送路装置４に接続しながら、挿入損失傾斜耐力を測定する伝送特性評価システムを構成することとしてもよい。
【００７６】
〔ｃ〕本発明の第１実施形態の説明
図９は本発明の第１実施形態にかかる伝送特性評価システム１Ｂを示すブロック図であり、この図９に示す伝送特性評価システム１Ｂにおいても、前述の本発明の関連発明の第１の実施形態（図１参照）の場合と同様に、光送信装置２の電気／光変換部２２または光受信装置３の光／電気変換部３２の分散耐力を測定するものであるが、擬似伝送路装置４Ｂの構成が前述の図１の場合と異なっている。
【００７７】
すなわち、この図９に示す伝送特性評価システム１Ｂの擬似伝送路装置４Ｂにおいては、前述の図１に示す擬似伝送路装置４と異なり、非線形光学効果付与部６０および偏波モード分散付与部７０をそなえるとともに、図１に示すもの（符号４８参照）に機能が追加されたコントローラ４８’をそなえている。尚、上述の非線形光学効果付与部６０，偏波モード分散付与部７０およびコントローラ４８’以外の構成については、前述の図１の場合と基本的に同様である。又、図９中、図１と同一の符号は、ほぼ同様の部分を示している。
【００７８】
ここで、非線形光学効果付与部６０は、実際の光通信システムにおける光伝送路で生じうる非線形光学効果による影響を、光送信装置２にて送信された光信号に擬似的に与えうるものであり、例えば光送信装置２の直後に接続されたＤＳＦ（Dispersion Shift Fiber；分散シフトファイバ）のほか、ＳＭＦ（Single Mode Fiber；シングルモードファイバ）によっても構成することができる。
【００７９】
また、実際の光通信システムにおける光伝送路の長さを例えば１００〜２００ｋｍ程度と想定して擬似伝送路装置４Ｂを構成する場合においては、非線形光学効果が発生する原因となる箇所としては、光信号レベルの比較的強い箇所であって、実際の光伝送路における光信号の送信側１０ｋｍ程度であると考えることができるので、上述の非線形光学効果付与部６０としてのＤＳＦまたはＳＭＦについても、例えば１０ｋｍ程度の長さのものとすれば足りる。
【００８０】
なお、上述の非線形光学効果付与部６０としては、上述の光送信装置２の直後に設けているが、光信号レベルの比較的強い箇所として、図９の光増幅器４７−２の後段に設けることとしてもよい。
さらに、偏波モード分散付与部７０は、ミラー４６で戻され光素子４４から出力された信号光に対して偏波モード分散を与えうるものである。具体的には、偏波モード分散付与部７０は、ミラー４６で反射された光信号をフォーカシングレンズ４５，光素子４４，ラインフォーカスレンズ４３およびコリメーティングレンズ４２および光サーキュレータ４１を介して入力されて、この入力された光信号について、実際の光通信システムにおける光伝送路で生じうる偏波モード分散による影響を付与しうるものである。
【００８１】
実際の光伝送路をなす光ファイバは、全ての箇所において直線状に伸びるように設置しうるものではなく、光ファイバが巻かれた箇所が存在したりすることがある。このように巻かれた箇所の内周と外周とでは伝搬速度に時間差が生じうる。この偏波モード分散付与部７０によれば、このような実際の光伝送路による伝搬速度の時間差についても擬似的に再現することが可能となる。
【００８２】
この偏波モード分散付与部７０としては、例えば図１０に示すような複数の波長板を用いたものとすることができる。即ち、偏波モード分散付与部７０は、例えばこの図１０に示すように、入力光コリメータ７１，光学的に直列に多重接続された複数の波長板７２−１〜７２−ｎ（図１０中においてはｎ＝１４），出力コリメータ７３および各波長板７２−１〜７２−ｎを回転させるためのアクチュエータ７４をそなえて構成することができる。尚、この図１０に示す偏波モード分散付与部７０のごとく、波長板を用いて偏波モードを制御する手法としては、米国特許第6,493,474号にも記載されている。
【００８３】
ここで、入力コリメータ７１は、光サーキュレータ４１から光ファイバ７５を介して入力された光信号を平行光の光信号として後段の波長板７２−１に出力するものである。また、波長板７２−１〜７２−ｎは、結晶軸に応じて光の伝搬速度の異なる構造を有する複屈折結晶である。更に、アクチュエータ７４は、各波長板７２−１〜７２−ｎを光軸について所定角度回転させることにより、結晶軸の傾斜を個別に設定することができるものであり、例えばステッピングモータ等により構成することができる。
【００８４】
すなわち、各波長板７２−１〜７２−ｎは、上述のアクチュエータ７４により、光信号が導通する光軸について回転可能に構成されており、これにより、各波長板７２−１〜７２−ｎの回転角度で、入力される光信号に任意の偏波モード分散を付与することができるようになっている。
たとえば、図１１に示すように、入力コリメータ７１から波長板７２−１に入力される光信号を、時間差ｔ１を有する光信号成分（即ち偏波モード）に分離し、以降波長板７２−２〜７２−８においても分離した偏波モードの時間差を、波長板そのものの結晶軸方向ごとの伝搬速度差および回転角によって個別に付与することにより、任意の偏波モード分散を与える。図１１の場合においては、波長板７２−１〜７２−８を伝搬する光信号は、伝搬速度の比較的遅い結晶軸（スロー軸）の偏波モードと、伝搬速度の比較的速い結晶軸（ファスト軸）の偏波モードと、で任意のパワー分岐と時間差ｔｄを与えることができる。
【００８５】
なお、各波長板７２−１〜７２−ｎにおける結晶軸に応じた光の伝搬速度の時間差を、比較的時間差の大きいものから比較的小さいものまで適宜分布させることで、アクチュエータ７４による各波長板７２−１〜７２−ｎの回転と相まって、幅広い値の範囲で任意の偏波モード分散を付与することが可能となる。即ち、各波長板７２−１〜７２−ｎにおおいて付与する偏波モード分散量（即ち付与する伝搬時間差）の次元を異なるようにすることで、幅広くかつきめ細かく偏波モード分散量を容易に設定することが可能となる。
【００８６】
さらに、出力コリメータ７３は、波長板７２−１〜７２−ｎで偏波モード分散が付与された光信号を偏波モード分散付与部７０からの出力として光ファイバ７６へ出力ためのものである。そして、この偏波モード分散付与部７０から出力された光信号は、この光ファイバ７６を介してＶＯＡ４７−１へ出力されるようになっている。
また、伝送特性設定部４８’には、前述の図１における伝送特性設定部４８におけるものと同様の反射位置設定部４８Ａ，損失量設定部４８Ｂおよび伝送特性評価部４８Ｃに加えて、偏波モード分散設定部４８Ｆをそなえている。この偏波モード分散設定部４８Ｆは、偏波モード分散付与部７０で付与する偏波モード分散量を設定するものである。
【００８７】
この場合においては、偏波モード分散設定部４８Ｆは、アクチュエータ７４による各波長板７２−１〜７２−ｎの回転量を設定することにより、実際の光通信システムにおける光伝送路で生じうる光信号の偏波モード分散を擬似的に発生させることができるようになっている。
上述のごとく構成された、本発明の第１実施形態にかかる伝送特性評価システム１Ｂにおいても、前述の図１の場合と同様に、光送信装置２から（ＰＰＧ２１で変調された）波長多重光を、擬似伝送路装置４Ｂを介して光受信装置３で受信するが、この光受信装置３のバーテスタ３３において、受信された光信号の信号誤りを測定する。そして、伝送特性評価部４８Ｃにおいて、バーテスタ３３からの信号誤り測定値を、分散値と対応させて蓄積してゆき、伝送特性としての分散耐力を求める。
【００８８】
このとき、非線形光学効果付与部６０においては、実際の光通信システムにおける光伝送路で生じうる非線形光学効果による影響を、光送信装置２にて送信された光信号に擬似的に与える。そして、偏波モード分散付与部７０においては、偏波モード分散設定部４８Ｆの設定により、ミラー４６で戻され光素子４４から出力された信号光に対して実際の光通信システムにおける光伝送路で生じうる偏波モード分散による影響を付与する。
【００８９】
これにより、擬似伝送路装置４Ｂでは、実際の光伝送路が持っている非線形光学効果および偏波モード分散の特性を擬似的に持たせることができるので、伝送特性評価部４８Ｃにおいては、実際の伝送路が持っている特性により近い環境で分散耐力の測定を行なうことができる。
このように、本発明の第１実施形態の伝送特性評価システムにおいても、前述の図１の場合と同様に、光モジュールとしての電気／光変換部２２または光／電気変換部３２の伝送特性を評価する際の分散耐力の測定を、ダミーファイバを施設して測定する態様に比して作業工数を減らすとともに、正の分散値から負の分散値にわたり連続的且つ広いレンジで高精度に測定することができる利点があるほか、擬似伝送路装置４Ｂでは、実際の光伝送路が持っている非線形光学効果および偏波モード分散の特性を擬似的に持たせることができるので、伝送特性評価部４８Ｃにおいては、実際の伝送路が持っている特性により近い環境で分散耐力の測定を行なうことができ、分散耐力の測定精度も飛躍的に向上させることができる利点がある。
【００９０】
〔ｄ〕本発明の第２実施形態の説明
図１２は本発明の第２実施形態にかかる伝送特性評価システム１００Ｂを示すブロック図であり、この図１２に示す伝送特性評価システム１００Ｂは、前述の本発明の関連発明の第２の実施形態（図５参照）の場合と同様に、挿入損失傾斜耐力を測定するものであるが、擬似伝送路装置１０４Ｂの構成が前述の図５の場合と異なっている。
【００９１】
すなわち、第２実施形態にかかる伝送特性評価システム１００Ｂにおいては、前述の第１実施形態と同様の非線形光学効果付与部６０および偏波モード分散付与部７０をそなえるとともに、図５に示すもの（符号１４８参照）に機能が追加されたコントローラ１４８’をそなえている。尚、上述の非線形光学効果付与部６０，偏波モード分散付与部７０およびコントローラ４８’以外の構成については、前述の図５の場合と基本的に同様である。又、図９中、図１と同一の符号は、ほぼ同様の部分を示している。
【００９２】
ここで、非線形光学効果付与部６０は、前述の図９の場合と同様に、実際の光通信システムにおける光伝送路で生じうる非線形光学効果による影響を、光送信装置２にて送信された光信号に擬似的に与えうるものであり、例えば光送信装置２の直後に接続されたＤＳＦ（Dispersion Shift Fiber；分散シフトファイバ）のほか、ＳＭＦ（Single Mode Fiber；シングルモードファイバ）によっても構成することができる。この非線形光学効果付与部６０においても、光増幅器４７−２の後段に設けることとしてもよい。
【００９３】
さらに、偏波モード分散付与部７０についても、前述の図９に示すものと同様に、ミラー４６で戻され光素子４４から出力された信号光に対して偏波モード分散を与えうるものであり、前述の図１１に示すものと同様の構成を有することができるほか、適宜その他の公知の偏波モードを付与可能な構成とすることも可能である。
また、コントローラ１４８’は、前述の図５に示すコントローラ１４８と同様に、光送信装置２および光受信装置３が接続されるべき伝送路が有しうる伝送特性と等価の伝送特性を設定する伝送特性設定部としての機能を有している。更に、コントローラ１４８’は、図５に示すコントローラ１４８と同様の、波長分散特性設定部１４８Ａ，挿入損失傾斜特性設定部１４８Ｅおよび伝送特性評価部１４８Ｄに加えて、偏波モード分散設定部１４８Ｆをそなえている。
【００９４】
この偏波モード分散設定部１４８Ｆは、前述の図９に示す偏波モード分散設定部４８Ｆと同様に、擬似伝送路装置１０４Ｂを伝搬する光信号に付与される偏波モード分散量を設定するものである。即ち、前述の図１０に示すように構成された偏波モード分散付与部７０のアクチュエータ７４による各波長板７２−１〜７２−ｎの回転量を設定することにより、実際の光通信システムにおける光伝送路で生じうる光信号の偏波モード分散を擬似的に発生させることができるようになっている。
【００９５】
上述のごとく構成された、本発明の第２実施形態にかかる伝送特性評価システム１００Ｂにおいても、前述の図５の場合と同様に、光源２３からの所定波長の光がＰＰＧ２１で変調された信号光を、擬似伝送路装置１０４Ｂを介して光受信装置３で受信するが、この光受信装置３のバーテスタ３３において、受信された光信号の信号誤りを測定するとともに、コントローラ１４８’の伝送特性評価部１４８Ｄでは、バーテスタ３３で測定された信号誤りを基にして伝送特性としての挿入損失傾斜耐力を求めている。
【００９６】
このとき、非線形光学効果付与部６０においては、実際の光通信システムにおける光伝送路で生じうる非線形光学効果による影響を、光送信装置２にて送信された光信号に擬似的に与える。そして、偏波モード分散付与部７０においては、偏波モード分散設定部４８Ｆの設定により、ミラー４６で戻され光素子４４から出力された信号光に対して実際の光通信システムにおける光伝送路で生じうる偏波モード分散による影響を付与する。
【００９７】
これにより、擬似伝送路装置１０４Ｂでは、実際の光伝送路が持っている非線形光学効果および偏波モード分散の特性を擬似的に持たせることができるので、伝送特性評価部１４８Ｄにおいては、実際の伝送路が持っている特性により近い環境で挿入損失傾斜耐力の測定を行なうことができる。
このように、本発明の第２実施形態の伝送特性評価システム１００Ｂにおいても、前述の図５の場合と同様に、挿入損失傾斜耐力を測定することができるため、伝送特性評価システムないし擬似伝送路装置の利用態様を広げ、更にはバーテスタ３３で検出される誤り検出値を、挿入損失の値によるものかを正確に評価することができる利点もあるほか、擬似伝送路装置４Ｂでは、実際の光伝送路が持っている非線形光学効果および偏波モード分散の特性を擬似的に持たせることができるので、伝送特性評価部１４８Ｄにおいては、実際の伝送路が持っている特性により近い環境で挿入損失傾斜耐力の測定を行なうことができ、挿入損失傾斜耐力の測定精度も飛躍的に向上させることができる利点がある。
【００９８】
〔ｅ〕その他
なお、上述した実施形態に関わらず、本発明の趣旨を逸脱しない範囲で種々変形して実施することができる。
たとえば、上述の第１，第２実施形態においては、偏波モード分散付与部７０としては波長板を用いた構成としているが、本発明によればこれに限定されず、適宜その他の公知の偏波モードを付与可能な構成とすることも可能である。例えば、マッハツェンダ型の光導波路を適宜タンデムに接続し、各光導波路に電界を印加することにより任意の偏波モードを付与することも考えられる。この場合においては、コントローラ４８’，１４８’の偏波モード分散設定部においては、各光導波路に印加すべき電界の大きさを設定する構成をそなえることにより、偏波モード分散を設定することができるようになる。
【００９９】
また、上述の第１，第２実施形態において設けられている非線形光学効果付与部６０および偏波モード分散付与部７０のうちで、少なくともいずれか一方をそなえることのみでも、少なくとも擬似伝送路装置を実際の光伝送路の特性に近づけることができるので、分散耐力や挿入損失傾斜耐力の測定精度を、前述の図１又は図５の場合よりも改善させることが可能である。又、非線形光学効果付与部６０のみを設け、偏波モード分散付与部７０の搭載を省略した場合には、コントローラには偏波モード設定部４８Ｆ，１４８Ｆを設ける必要もなくなる。
【０１００】
また、本発明の各実施形態が開示されていれば、当業者によって製造することが可能である。
〔ｆ〕付記
（付記１）  光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムであって、
該光送信装置が、特定パターンの電気パルス信号を発生するパルス信号発生器と、該パルス信号発生器にて発生された電気パルス信号を光信号に変換しうる電気／光変換部とをそなえ、該電気／光変換部からの光信号を上記試験用の光信号として送信するように構成されるとともに、
該擬似伝送路装置が、該光送信装置にて送信された信号光を、多重反射して自己干渉を行なわせることにより、波長によって異なる出力角度で放出する光素子と、該光素子から放出された信号光を集束させるレンズと、該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、上記のミラーまたは光素子を制御することにより、上記の光送信装置および光受信装置が接続されるべき伝送路が有しうる伝送特性と等価の伝送特性を設定する伝送特性設定部とをそなえ、
かつ、該光受信装置が、該光送信装置からの光信号を、上記伝送特性が設定された該擬似伝送路装置を介して入力されて、電気信号に変換しうる光／電気変換部と、該光／電気変換部からの電気信号と該光パルス信号発生器にて発生された電気パルス信号とを比較して信号誤りを測定する信号誤り測定器とをそなえ、
該光受信装置の信号誤り測定器にて測定された信号誤りに基づいて、上記電気／光変換部または光／電気変換部による伝送特性を評価するように構成されたことを特徴とする、伝送特性評価システム。
【０１０１】
（付記２）  上記の光送信装置の電気／光変換部が、上記電気パルス信号を互いに異なる複数の光信号に変換し上記変換された複数の光信号を波長多重光として出力しうるように構成されるとともに、
上記の光受信装置の光／電気変換部が、光送信装置からの波長多重光としての光信号を、上記伝送特性が設定された該擬似伝送路装置を介して入力されて、波長分離した後にそれぞれ電気信号に変換しうるように構成され、
かつ、上記の光受信装置の信号誤り測定器が、上記波長分離した後に変換された電気信号について、それぞれ上記信号誤りを測定するように構成されたことを特徴とする、付記1記載の伝送特性評価システム。
【０１０２】
（付記３）  上記の擬似伝送路装置の伝送特性設定部が、該ミラーの可動量を設定することにより、上記の光送信装置および光受信装置が接続されるべき伝送路が有しうる波長分散特性と等価の波長分散特性を設定する波長分散特性設定部により構成されていることを特徴とする、付記１または２記載の伝送特性評価システム。
（付記４）  該光素子から出力される該光受信装置への信号光について、所定量の損失を与える損失付与部が、該擬似伝送路装置に設けられるとともに、
上記の擬似伝送路装置の伝送特性設定部が、該ミラーを可動制御することにより、上記の光送信装置および光受信装置が接続されるべき伝送路が有しうる波長分散特性と等価の波長分散特性を設定する波長分散特性設定部と、上記の光送信装置および光受信装置が接続されるべき伝送路が有しうる損失量と等価の損失特性となるように、該損失付与部による損失量を設定する損失量設定部をそなえて構成されたことを特徴とする、付記１または２記載の伝送特性評価システム。
【０１０３】
（付記５）  該光素子から出力される該光受信装置への信号光について所定量の損失を与える損失付与部と、該光素子の素子温度を調整する素子温度調整器とが、該擬似伝送路装置に設けられるとともに、
上記の擬似伝送路装置の伝送特性設定部が、該ミラーを可動制御することにより、波長ごとの波長分散特性を一定に設定する波長分散特性設定部をそなえるとともに、該波長分散特性設定部にて上記波長ごとの波長分散特性を一定にしながら、上記伝送路が有しうる挿入損失傾斜特性と等価の挿入損失傾斜特性を得られるように、上記の損失付与部による信号光の損失量および素子温度調整器による該光素子の調整温度を設定する挿入損失傾斜特性設定部をそなえて構成されたことを特徴とする、付記１または２記載の伝送特性評価システム。
【０１０４】
（付記６）  該損失付与部が、該光素子から出力される該光受信装置への信号光について可変減衰させる可変減衰器と、該光受信装置への信号光について増幅する光増幅器とをそなえて構成されたことを特徴とする、付記４又は５記載の伝送特性評価システム。
（付記７）  該擬似伝送路装置が、該ミラーで戻され該光素子から出力された信号光に対して偏波モード分散を与えうる偏波モード分散付与部をそなえ、かつ、該伝送特性設定部が、上記のミラーまたは光素子とともに、該偏波モード分散付与部を制御することにより、上記の光送信装置および光受信装置が接続されるべき伝送路が有しうる伝送特性と等価の伝送特性を設定することを特徴とする、付記１〜６のいずれか１項記載の伝送特性評価システム。
【０１０５】
（付記８）  該擬似伝送路装置が、光送信装置にて送信された信号光について非線形光学効果を与えうる非線形光学効果付与部をそなえて構成されたことを特徴とする、付記１〜７のいずれか１項記載の伝送特性評価システム。
（付記９）  光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、
該擬似伝送路装置が、該光送信装置にて送信された上記試験用の信号光を、多重反射して自己干渉を行なわせることにより、波長によって異なる出力角度で放出する光素子と、
該光素子から放出された信号光を集束させるレンズと、
該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、
上記のミラーまたは光素子を制御することにより、上記の光送信装置および光受信装置が接続されるべき伝送路と等価の伝送特性を設定する伝送特性設定部とをそなえて構成されたことを
特徴とする、伝送特性評価システムにおける擬似伝送路装置。
【０１０６】
（付記１０）  該ミラーで戻され該光素子から出力された信号光に対して偏波モード分散を与えうる偏波モード分散付与部をそなえ、かつ、該伝送特性設定部が、上記のミラーまたは光素子とともに、該偏波モード分散付与部を制御することにより、上記の光送信装置および光受信装置が接続されるべき伝送路が有しうる伝送特性と等価の伝送特性を設定することを特徴とする、付記９記載の伝送特性評価システムにおける擬似伝送路装置。
【０１０７】
（付記１１）  光送信装置にて送信された信号光について非線形光学効果を与えうる非線形光学効果付与部をそなえて構成されたことを特徴とする、付記９または１０記載の伝送特性評価システムにおける擬似伝送路装置。
（付記１２）  電気パルス信号を発生するパルス信号発生器と、該電気パルス信号を光信号に変換しうる電気／光変換部とを有し、該光信号を出力する光送信装置と、
該光送信装置からの該光信号を入力し、入力された光信号を電気信号に変換しうる光／電気変換部と、該電気信号と該電気パルス信号との比較により信号誤りを測定する信号誤り測定器とを有する光受信装置と、を備えるとともに、
異なる波長の光に対して異なる波長分散を付与しうる可変波長分散素子と、該可変波長分散素子の出力光に偏波モード分散を付与しうる偏波モード分散付与部と、を有する擬似伝送路装置が該光送信装置と該光受信装置との間に介装され、
該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、
該擬似伝送路装置は、該可変波長分散素子の該ミラーまたは該光素子とともに、該偏波モード分散付与部を制御することにより、上記の光送信装置および光受信装置が接続されるべき伝送路が有する伝送特性と等価の伝送特性を設定することを特徴とする、伝送特性評価システム。
【０１０８】
（付記１３）  付記１２記載の伝送特性評価システムであって、該擬似伝送路装置が、該光送信装置より出力された該信号光に非線形光学効果を与えうる非線形光学効果付与部を有することを特徴とする、伝送特性評価システム。
（付記１４）  付記１２または１３記載の伝送特性評価システムであって、該伝送特性設定部は、該偏波モード分散付与部で与える偏波モード分散を、上記の光送信装置および光受信装置が接続されるべき伝送路が有する偏波モード分散特性と等価となるよう制御する偏波モード分散制御部を有することを特徴とする伝送特性評価システム。
【０１０９】
（付記１５）  電気パルス信号を発生するパルス信号発生器と、該電気パルス信号を光信号に変換しうる電気／光変換部とを有し、該光信号を出力する光送信装置と、
該光送信装置からの該光信号を入力し、入力された光信号を電気信号に変換しうる光／電気変換部と、該電気信号と該電気パルス信号との比較により信号誤りを測定する信号誤り測定器とを有する光受信装置と、を備えるとともに、
異なる波長の光に対して異なる波長分散を付与しうる可変波長分散素子と、該可変波長分散素子の出力光に偏波モード分散を付与しうる偏波モード分散付与部と、を有する擬似伝送路装置が該光送信装置と該光受信装置との間に介装され、
該可変波長分散素子は、集束した入力光を第１と第２の反射面間を伝播させることにより虚像配列化し、一方の反射面を透過した光が干渉し、異なる波長が一定の波長間隔で同じ出力角度に出力する光素子と、該光素子から放出された光を集束するレンズと、該光素子へ該レンズを介して前記出力光を戻し、該レンズで集束された光の反射位置により異なる波長分散を与えるミラーとを有し、
該擬似伝送路装置が、該光送信装置より出力された該信号光に非線形光学効果を与えうる非線形光学効果付与部を有することを特徴とする、伝送特性評価システム。
【０１１０】
（付記１６）  上記の光送信装置の電気／光変換部が、上記電気パルス信号を互いに異なる複数の光信号に変換し上記変換された複数の光信号を波長多重光として出力しうるように構成されるとともに、
上記の光受信装置の光／電気変換部が、光送信装置からの波長多重光としての光信号を、上記伝送特性が設定された該擬似伝送路装置を介して入力されて、波長分離した後にそれぞれ電気信号に変換しうるように構成され、
かつ、上記の光受信装置の信号誤り測定器が、上記波長分離した後に変換された電気信号について、それぞれ上記信号誤りを測定するように構成されたことを特徴とする、付記1２〜１５のいずれか１項記載の伝送特性評価システム。
【０１１１】
（付記１７）  上記の擬似伝送路装置の伝送特性設定部が、該ミラーの可動量を設定することにより、上記の光送信装置および光受信装置が接続されるべき伝送路が有しうる波長分散特性と等価の波長分散特性を設定する波長分散特性設定部をそなえて構成されていることを特徴とする、付記１２〜１６のいずれか１項記載の伝送特性評価システム。
（付記１８）  該光素子から出力される該光受信装置への信号光について、所定量の損失を与える損失付与部が、該擬似伝送路装置に設けられるとともに、
上記の擬似伝送路装置の伝送特性設定部が、該ミラーを可動制御することにより、上記の光送信装置および光受信装置が接続されるべき伝送路が有しうる分散特性と等価の波長分散特性を設定する波長分散特性設定部と、上記の光送信装置および光受信装置が接続されるべき伝送路が有しうる損失量と等価の損失特性となるように、該損失付与部による損失量を設定する損失量設定部をそなえて構成されたことを特徴とする、付記１２〜１６のいずれか１項記載の伝送特性評価システム。
【０１１２】
（付記１９）  該光素子から出力される該光受信装置への信号光について所定量の損失を与える損失付与部と、該光素子の素子温度を調整する素子温度調整器とが、該擬似伝送路装置に設けられるとともに、
上記の擬似伝送路装置の伝送特性設定部が、該ミラーを可動制御することにより、波長ごとの波長分散特性を一定に設定する波長分散特性設定部をそなえるとともに、該分散特性設定部にて上記波長ごとの波長分散特性を一定にしながら、上記伝送路が有しうる挿入損失傾斜特性と等価の挿入損失傾斜特性を得られるように、上記の損失付与部による信号光の損失量および素子温度調整器による該光素子の調整温度を設定する挿入損失傾斜特性設定部をそなえて構成されたことを特徴とする、付記１２〜１６のいずれか１項記載の伝送特性評価システム。
【０１１３】
（付記２０）  該損失付与部が、該光素子から出力される該光受信装置への信号光について可変減衰させる可変減衰器と、該光受信装置への信号光について増幅する光増幅器とをそなえて構成されたことを特徴とする、付記１８又は１９記載の伝送特性評価システム。
（付記２１）  光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、
該擬似伝送路装置が、該光送信装置にて送信された上記試験用の信号光を、多重反射して自己干渉を行なわせることにより、波長によって異なる出力角度で放出する光素子と、
該光素子から放出された信号光を集束させるレンズと、
該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、
上記のミラーまたは光素子を制御することにより、上記の光送信装置および光受信装置が接続されるべき伝送路と等価の伝送特性を設定する伝送特性設定部とをそなえて構成され、
かつ、該ミラーで戻され該光素子から出力された信号光に対して偏波モード分散を与えうる偏波モード分散付与部をそなえるとともに、該伝送特性設定部が、上記のミラーまたは光素子とともに、該偏波モード分散付与部を制御することにより、上記の光送信装置および光受信装置が接続されるべき伝送路が有しうる伝送特性と等価の伝送特性を設定することを特徴とする、伝送特性評価システムにおける擬似伝送路装置。
【０１１４】
（付記２２）  光信号を送信する光送信装置と該光送信装置からの光信号を受信する光受信装置とをそなえるとともに、上記の光送信装置および光受信装置が接続されるべき伝送路の伝送特性を擬似的に有する擬似伝送路装置が、上記の光送信装置および光受信装置の間に介装されて、上記の光送信装置および光受信装置間において試験用の光信号を送受することにより、上記の光送信装置または光受信装置の伝送特性を評価する伝送特性評価システムにおける該擬似伝送路装置であって、
該擬似伝送路装置が、該光送信装置にて送信された上記試験用の信号光を、多重反射して自己干渉を行なわせることにより、波長によって異なる出力角度で放出する光素子と、
該光素子から放出された信号光を集束させるレンズと、
該レンズにて集束した信号光を該レンズに反射して戻すことによって、上記戻された信号光が該光素子内で多重反射を受けることにより、該光受信装置への信号光として出力されるようにするとともに、該レンズにて集束した信号光の反射面位置によって、上記の光受信装置への信号光に異なる波長分散を与えうるミラーと、
上記のミラーまたは光素子を制御することにより、上記の光送信装置および光受信装置が接続されるべき伝送路と等価の伝送特性を設定する伝送特性設定部とをそなえ、
かつ、光送信装置にて送信された信号光について非線形光学効果を与えうる非線形光学効果付与部をそなえて構成されたことを特徴とする、伝送特性評価システムにおける擬似伝送路装置。
【産業上の利用可能性】
【０１１５】
以上のように、本発明の伝送特性評価システムおよびその擬似伝送路装置は、例えば光通信伝送システムの特性評価を行なうのに有用であり、特に光モジュールの伝送特性を評価する際の分散耐力や挿入損失傾斜耐力の測定を、測定のための作業工数を減らすとともに、より高精度に測定できるようにするのに適している。
【図面の簡単な説明】
【０１１６】
【図１】本発明の関連発明における第１の実施形態にかかる伝送特性評価システムを示すブロック図である。
【図２】光素子の作用について模式的に示す図である。
【図３】光素子の作用について模式的に示す図である。
【図４】本発明の関連発明における第１の実施形態の変形例にかかる伝送特性評価システムを示すブロック図である。
【図５】本発明の関連発明における第２の実施形態にかかる伝送特性評価システムを示すブロック図である。
【図６】挿入損失傾斜特性設定部の動作を説明するための図である。
【図７】（ａ），（ｂ）はともに挿入損失傾斜特性設定部の動作を説明するための図である。
【図８】（ａ），（ｂ）はともに挿入損失傾斜特性設定部の動作を説明するための図である。
【図９】本発明の第１実施形態にかかる伝送特性評価システムを示すブロック図である。
【図１０】本発明の第１実施形態にかかる伝送特性評価システムの要部構成を示すブロック図である。
【図１１】本発明の第１実施形態にかかる伝送特性評価システムの要部の作用を説明するための図である。
【図１２】本発明の第１実施形態にかかる伝送特性評価システムを示すブロック図である。
【図１３】従来の分散耐力の測定システムを示すブロック図である。
【符号の説明】
【０１１７】
１，１Ａ，１Ｂ，１００，１００Ｂ    伝送特性評価システム
２，２Ａ    光送信装置
３，３Ａ    光受信装置
４，４Ｂ，１０４，１０４Ｂ    擬似伝送路装置
２１    パターンパルスジェネレータ
２２，２２Ａ    電気／光変換部
２３，２３Ａ    光源
２４，２４Ａ    変調器
２５−１〜２５−ｎ    発光モジュール
２６    波長多重部
３２，３２Ａ    光／電気変換部
３３    信号誤り測定器
３３−１〜３３−ｎ    バーテスタ
３４    波長分離部
３５−１〜３５−ｎ    受光モジュール
４１    光サーキュレータ
４２    コリメーティングレンズ
４３    ラインフォーカスレンズ（シリンドリカルレンズ）
４４    光素子
４４Ａ    素子温度調節器
４５    フォーカシングレンズ
４６    ３次元自由曲面ミラー
４６Ａ    アクチュエータ
４６ａ，４６ｂ    点
４７−１    可変光減衰器
４７−２    光増幅器
４８，４８’，１４８，１４８’    コントローラ
４８Ａ    反射位置設定部
４８Ｂ    損失量設定部
４８Ｃ    伝送特性評価部
４８Ｆ，１４８Ｆ    偏波モード分散設定部
４９    光ファイバ端部
５０    平行平板
５０ａ〜５０ｃ    膜
５１    虚像
６０    非線形光学効果付与部
７０    偏波モード分散付与部
７１    入力光コリメータ
７２−１〜７２−ｎ    波長板
７３    出力コリメータ
７４    アクチュエータ
１４８Ａ    波長分散特性設定部
１４８Ｂ    損失量設定部
１４８Ｃ    素子温度設定部
１４８Ｄ    伝送特性評価部
１４８Ｅ    挿入損失傾斜特性設定部
２００    測定システム
２０１    光源
２０２    変調器
２０３    Ｅ／Ｏモジュール
２０４    パターンパルス発生器
２１０    光送信装置
２２０    光受信装置
２３０    ダミーファイバ
２２１    受信増幅器
２２２    Ｏ／Ｅモジュール
２２３    バーテスタ
【図１】
2006086955.tif 000003
【図２】
2006086955.tif 000004
【図３】
2006086955.tif 000005
【図４】
2006086955.tif 000006
【図５】
2006086955.tif 000007
【図６】
2006086955.tif 000008
【図７】
2006086955.tif 000009
【図８】
2006086955.tif 000010
【図９】
2006086955.tif 000011
【図１０】
2006086955.tif 000012
【図１１】
2006086955.tif 000013
【図１２】
2006086955.tif 000014
【図１３】
2006086955.tif 000015